(57)【要約】【課題】  従来技術に比べて費用負担が少なく、自動販売機に搭載された硬貨処理装置および紙幣処理装置を含む整備点検対象装置の整備点検時期等を判定することができるようにした自動販売機の管理システムおよび電子決済装置および分析装置を提供する。【解決手段】  自動販売機１０に搭載された電子決済装置２０を用いてＩＣカード７０に自動販売機１０に搭載された整備点検対象装置の稼働履歴情報を書込み、この稼働履歴情報が書き込まれたＩＣカード７０を分析装置８０のＩＣカード差込部８７に差し込むことにより、分析装置８０は、ＩＣカード７０から整備点検対象装置の稼働履歴情報を読み取り、この稼働履歴情報を分析することにより、自動販売機１０に搭載された整備点検対象装置の整備点検時期等を判定する。【選択図】図１
2010102389.tif 000002
【特許請求の範囲】
【請求項１】
硬貨処理装置および紙幣処理装置を搭載するとともに非接触で電子マネー機能を有する媒体と通信して電子決済を行う電子決済装置を搭載する自動販売機と、
前記自動販売機に搭載された前記硬貨処理装置および前記紙幣処理装置を含む整備点検対象装置の稼動履歴情報を分析する分析装置と、
前記電子決済装置と非接触で通信する前記稼働履歴情報の取得を許可された許可情報を記憶した専用媒体と
を具備し、
前記電子決済装置は、
前記整備点検対象装置から稼動履歴情報を取得する取得手段と、
前記専用媒体と非接触で通信する通信手段と、
前記通信手段による前記専用媒体との非接触通信により、該媒体に記憶された許可情報を読み取って、該許可情報に基づき該媒体が前記稼動履歴情報の取得を許可された専用媒体であるかを判別する判別手段と、
前記判別手段により前記専用媒体が前記稼動履歴情報の取得を許可された媒体であると判別された場合は、前記専用媒体との前記通信手段による非接触通信により、前記取得手段により取得した前記稼動履歴情報を前記専用媒体に書き込む書込手段と
を具備し、
前記分析装置は、
前記書込手段により前記稼動履歴情報が書き込まれた前記専用媒体から前記稼動履歴情報を読み取る読取手段と、
前記読取手段により読み取った前記稼動履歴情報を分析して、前記整備点検対象装置の整備が必要な整備点検時期を明らかにする分析手段と、
前記整備点検対象装置の整備が必要な整備点検時期を前記分析手段による分析結果として表示する表示手段と
を具備する自動販売機管理システム。
【請求項２】
硬貨処理装置および紙幣処理装置とともに自動販売機に搭載され、非接触で電子マネー機能を有する媒体と通信して電子決済を行うとともに、前記硬貨処理装置および前記紙幣処理装置を含む整備点検対象装置の稼動履歴情報の取得を許可された専用媒体と通信する電子決済装置であって、
前記整備点検対象装置の稼動履歴情報を取得する取得手段と、
前記専用媒体と非接触で通信する通信手段と、
前記通信手段による前記専用媒体との非接触通信により、該媒体に記憶された前記許可情報を読み取って、該許可情報に基づき該媒体が前記稼動履歴情報の取得を許可された専用媒体であるかを判別する判別手段と、
前記判別手段により前記専用媒体が前記稼動履歴情報の取得を許可された専用媒体であると判別された場合は、前記専用媒体との前記通信手段による非接触通信により、前記取得手段により取得した前記稼動履歴情報を前記専用媒体に書き込む書込手段と
を具備する電子決済装置。
【請求項３】
非接触で電子マネー機能を有する媒体と通信して電子決済を行う電子決済装置を有する自動販売機に搭載された硬貨処理装置および紙幣処理装置を含む整備点検対象装置の稼動履歴情報を分析する分析装置であって、
前記電子決済装置との非接触通信により前記稼動履歴情報が書き込まれた専用媒体から前記稼動履歴情報を読み取る読取手段と、
前記読取手段により読み取った前記稼動履歴情報を分析して、前記整備点検対象装置の整備が必要な整備点検時期を明らかにする分析手段と、
前記整備点検対象装置の整備が必要な整備点検時期を前記分析手段による分析結果として表示する表示手段と
を具備する分析装置。
【請求項４】
硬貨処理装置および紙幣処理装置を搭載するとともに非接触で電子マネー機能を有する媒体と通信して電子決済を行う電子決済装置を搭載する自動販売機と、前記電子決済装置と非接触で通信する前記稼働履歴情報の取得を許可された許可情報を記憶した専用媒体と、前記自動販売機に搭載された前記硬貨処理装置および前記紙幣処理装置を含む整備点検対象装置の稼動履歴情報を分析する分析装置とを具備する自動販売機管理システムにおける自動販売機管理方法であって、
前記電子決済装置は、前記整備点検対象装置から稼動履歴情報を取得手段により取得し、
通信手段による専用媒体との非接触通信により、該媒体に記憶された許可情報を読み取って、該許可情報に基づき該専用媒体が前記稼動履歴情報の取得を許可された専用媒体であるかを判別手段により判別し、
前記判別手段により前記専用媒体が前記稼動履歴情報の取得を許可された専用媒体であると判別された場合は、前記専用媒体との前記通信手段による非接触通信により、前記取得手段により取得した前記稼動履歴情報を書込手段により前記専用媒体に書き込み、
前記分析装置は、前記書込手段により前記稼動履歴情報が書き込まれた前専用記媒体から前記稼動履歴情報を読取手段により読み取り、
前記読取手段により読み取った前記稼動履歴情報を分析手段により分析し、
前記分析手段による分析結果を表示手段により表示する自動販売機管理方法。
【発明の詳細な説明】
【技術分野】
【０００１】
本発明は、自動販売機管理システムおよび電子決済装置および分析装置に関し、特に、自動販売機に搭載された電子決済装置による非接触通信により自動販売機に搭載された硬貨処理装置および紙幣処理装置の稼動履歴情報を媒体に書き込み、この媒体に書き込まれた稼動履歴情報から硬貨処理装置および紙幣処理装置の整備点検が必要な整備点検時期を判定するようにした自動販売機管理システムおよび電子決済装置および分析装置に関する。
【背景技術】
【０００２】
自動販売機は、本体としての装置の他に、硬貨処理装置や紙幣処理装置等の複数の装置により構成されている。この硬貨処理装置や紙幣処理装置の整備時期の把握や自動販売機自体の売上管理情報の生成に、硬貨処理装置や紙幣処理装置の稼働履歴情報を利用する。
【０００３】
この稼働履歴情報の取得方法は、サービスマン若しくはルートマンと呼ばれる作業員が対象とする自動販売機の設置場所に出向いて、該稼働履歴情報の取得のみを行うか、前記硬貨処理装置や前記紙幣処理装置から金銭を回収し販売する商品の補充や商品の入れ替え作業や機器の整備作業を行う時に併せて情報取得を行うかのいずれかになり、金銭の回収を伴う作業では作業員を特定している。
【０００４】
例えば、特許文献１には、管理する機器とその作業者毎の作業分野を予め分別して作業の諾否と諾否した作業の履歴の記憶とを自動的に行う管理システムとして、自動販売機の表面に指紋認証装置を配置し、適宜の箇所に鍵で開けることができる扉を設け、作業員の指紋が本人であると認証されたら扉が開錠され、開錠と施錠の履歴が通信インターフェースを介して外部へ通知されることが開示されている。
【０００５】
また特許文献２では、自動販売機における各操作を行う人物とその操作内容を特定して管理する方法として、主制御部である管理ユニットと硬貨処理装置及び紙幣処理装置をセキュリティーボックス内に配置し、このセキュリティーボックスの開閉にＩＤを有する鍵を使用する方法が開示されている。
【０００６】
ところで、硬貨処理装置及び紙幣処理装置が配設され且つ電子決済装置が配設された自動販売機では、電子マネーが格納されたＩＣカード等をこの電子決済装置で認識し、且つ通信手段を介して決済情報を管理センターへ送信するので、電子決済装置が硬貨処理装置及び紙幣処理装置の稼働履歴情報を取得し、管理センターとの通信手段を使用して取得した稼働履歴情報を管理センターへ送信することができる。
【０００７】
また先行技術においても、例えば特許文献３に開示されたように、売上データを通信インターフェースによって自動的に外部の管理センターに通知する方法が開示されているので、電子決済装置が配設されていなくても、管理センターとの通信手段を使用して硬貨処理装置及び紙幣処理装置の稼働履歴情報を管理センターへ送信することができる。
【特許文献１】特開２００３−２３２１５４号公報
【特許文献２】特開２０００−９０３３８号公報
【特許文献３】特許第３０７５７３９号公報
【発明の開示】
【発明が解決しようとする課題】
【０００８】
上述したように、硬貨処理装置及び紙幣処理装置が配設され且つ電子決済装置が配設された自動販売機では、管理センターとの通信手段を使用して硬貨処理装置及び紙幣処理装置の稼働履歴情報を管理センターへ送信するように変更することは可能であるが、その変更を実施するためには多大な費用負担となる。
【０００９】
また、管理運営上の事情によって、作業員が自動販売機の設置場所に出向く必要が生じた場合には、硬貨処理装置や紙幣処理装置の整備時期を把握する為の稼働履歴情報の取得作業と、硬貨処理装置や紙幣処理装置に収納されている金銭の回収作業とを分けて行い、稼働履歴情報の取得作業を行う作業者は自動販売機の扉を開閉すること無く作業を行えることが望ましいが、従来技術においてはそれが出来ず、以後金銭の紛失等のトラブルが生じた時に、管理体制を問われるという問題がある。
【００１０】
本願発明は、従来技術に比べて費用負担が少なく、自動販売機に搭載された硬貨処理装置および紙幣処理装置を含む整備点検対象装置の整備点検時期等を判定することができるようにした自動販売機の管理システムおよび電子決済装置および分析装置を提供することを目的とする。
【課題を解決するための手段】
【００１１】
上述した目的を達成するため、請求項１の発明の自動販売機管理システムは、硬貨処理装置および紙幣処理装置を搭載するとともに非接触で電子マネー機能を有する媒体と通信して電子決済を行う電子決済装置を搭載する自動販売機と、前記自動販売機に搭載された前記硬貨処理装置および前記紙幣処理装置を含む整備点検対象装置の稼動履歴情報を分析する分析装置と、前記電子決済装置と非接触で通信する前記稼働履歴情報の取得を許可された許可情報を記憶した専用媒体とを具備し、前記電子決済装置は、前記整備点検対象装置から稼動履歴情報を取得する取得手段と、前記専用媒体と非接触で通信する通信手段と、前記通信手段による前記専用媒体との非接触通信により、該媒体に記憶された許可情報を読み取って、該許可情報に基づき該媒体が前記稼動履歴情報の取得を許可された専用媒体であるかを判別する判別手段と、前記判別手段により前記専用媒体が前記稼動履歴情報の取得を許可された媒体であると判別された場合は、前記専用媒体との前記通信手段による非接触通信により、前記取得手段により取得した前記稼動履歴情報を前記専用媒体に書き込む書込手段とを具備し、前記分析装置は、前記書込手段により前記稼動履歴情報が書き込まれた前記専用媒体から前記稼動履歴情報を読み取る読取手段と、前記読取手段により読み取った前記稼動履歴情報を分析して、前記整備点検対象装置の整備が必要な整備点検時期を明らかにする分析手段と、前記整備点検対象装置の整備が必要な整備点検時期を前記分析手段による分析結果として表示する表示手段とを具備する。
【００１２】
また、請求項２の発明は、硬貨処理装置および紙幣処理装置とともに自動販売機に搭載され、非接触で電子マネー機能を有する媒体と通信して電子決済を行うとともに、前記硬貨処理装置および前記紙幣処理装置を含む整備点検対象装置の稼動履歴情報の取得を許可された専用媒体と通信する電子決済装置であって、前記整備点検対象装置の稼動履歴情報を取得する取得手段と、前記専用媒体と非接触で通信する通信手段と、前記通信手段による前記専用媒体との非接触通信により、該媒体に記憶された前記許可情報を読み取って、該許可情報に基づき該媒体が前記稼動履歴情報の取得を許可された専用媒体であるかを判別する判別手段と、前記判別手段により前記専用媒体が前記稼動履歴情報の取得を許可された専用媒体であると判別された場合は、前記専用媒体との前記通信手段による非接触通信により、前記取得手段により取得した前記稼動履歴情報を前記専用媒体に書き込む書込手段とを具備する。
【００１３】
また、請求項３の発明は、非接触で電子マネー機能を有する媒体と通信して電子決済を行う電子決済装置を有する自動販売機に搭載された硬貨処理装置および紙幣処理装置を含む整備点検対象装置の稼動履歴情報を分析する分析装置であって、前記電子決済装置との非接触通信により前記稼動履歴情報が書き込まれた専用媒体から前記稼動履歴情報を読み取る読取手段と、前記読取手段により読み取った前記稼動履歴情報を分析して、前記整備点検対象装置の整備が必要な整備点検時期を明らかにする分析手段と、前記整備点検対象装置の整備が必要な整備点検時期を前記分析手段による分析結果として表示する表示手段とを具備する。
【００１４】
また、請求項４の発明は、硬貨処理装置および紙幣処理装置を搭載するとともに非接触で電子マネー機能を有する媒体と通信して電子決済を行う電子決済装置を搭載する自動販売機と、前記電子決済装置と非接触で通信する前記稼働履歴情報の取得を許可された許可情報を記憶した専用媒体と、前記自動販売機に搭載された前記硬貨処理装置および前記紙幣処理装置を含む整備点検対象装置の稼動履歴情報を分析する分析装置とを具備する自動販売機管理システムにおける自動販売機管理方法であって、前記電子決済装置は、前記整備点検対象装置から稼動履歴情報を取得手段により取得し、通信手段による専用媒体との非接触通信により、該媒体に記憶された許可情報を読み取って、該許可情報に基づき該専用媒体が前記稼動履歴情報の取得を許可された専用媒体であるかを判別手段により判別し、前記判別手段により前記専用媒体が前記稼動履歴情報の取得を許可された専用媒体であると判別された場合は、前記専用媒体との前記通信手段による非接触通信により、前記取得手段により取得した前記稼動履歴情報を書込手段により前記専用媒体に書き込み、前記分析装置は、前記書込手段により前記稼動履歴情報が書き込まれた前専用記媒体から前記稼動履歴情報を読取手段により読み取り、前記読取手段により読み取った前記稼動履歴情報を分析手段により分析し、前記分析手段による分析結果を表示手段により表示する。
【発明の効果】
【００１５】
本発明によれば、自動販売機に搭載された電子決済装置を用いてＩＣカード等による専用の媒体を介して硬貨処理装置および紙幣処理装置を含む整備点検対象装置の稼働履歴情報を取得し、該専用媒体から上記稼働履歴情報を分析装置で読み取って分析するように構成したので、従来技術に比べて費用負担が少なく、自動販売機に搭載された整備点検対象装置の整備点検時期等を判定することができる。
【発明を実施するための最良の形態】
【００１６】
以下、本発明に係る自動販売機管理システムおよび電子決済装置および分析装置の一実施の形態について添付図面を参照して詳細に説明する。
【実施例】
【００１７】
図１は、本発明を適用した電子決済装置を含む自動販売機の構成を示すブロック図である。
【００１８】
同図に示すように、自動販売機１０は、電子決済装置２０、紙幣処理装置３０、硬貨処理装置４０、主制御部５０を有している。なお、図１では省略しているが、自動販売機１０は、商品を販売（保管、排出等）するための他の装置も有している。
【００１９】
電子決済装置２０は、電子マネーを利用した決済処理を行うとともに、紙幣処理装置３０、硬貨処理装置４０の稼動履歴情報をＩＣカード７０に書き込む処理を行う。
【００２０】
紙幣処理装置３０は、紙幣の正偽判定や受け入れ等の処理を行い、硬貨処理装置４０は、硬貨の正偽判定や受け入れ、払い出し等の処理を行う。また、主制御部５０は、電子決済装置２０、紙幣処理装置３０、硬貨処理装置４０、そして商品を販売するための他の装置を制御する。
【００２１】
主制御部５０と電子決済装置２０、紙幣処理装置３０、硬貨処理装置４０の間は、通信線１１により接続され、各装置間で必要に応じて通信処理を行う。
【００２２】
また、電子決済装置２０と紙幣処理装置３０との間、電子決済装置２０と硬貨処理装置４０との間、電子決済装置２０と主制御部５０との間は、それぞれ、通信線１２、通信線１３、通信線１４により接続されており、電子決済装置２０は、通信線１２、通信線１３を利用して、紙幣処理装置３０、硬貨処理装置４０の稼働履歴情報取得処理を行う。
【００２３】
電子決済装置２０は、制御部２１、情報処理部２２、入出力部２３、報知部２４を有している。
【００２４】
ここで、制御部２１は、電子決済装置２０の各部を制御するほか、決済処理を行うもので、プロセッサ等の演算部、メモリ等の記憶部により構成され、演算部が記憶部に記憶されているプログラムを実行することで動作する。
【００２５】
入出力部２３は、ＩＣカード７０が接近した（かざされた）ことを検出し、ＩＣカード７０との間で無線通信を行うもので、アンテナを有している。
【００２６】
情報処理部２２は、入出力部２３が受信したアナログ信号をデジタルデータに変換して制御部２１へ入力し、制御部２１が出力するデジタルデータをアナログ信号に変換して入出力部２３から送信させる。
【００２７】
報知部２４は、光や音によりＩＣカード７０を接近させた者に対する報知処理を行う。  ここで、制御部２１の機能的な構成について説明する。
【００２８】
図２は、制御部２１の機能的な構成例を示すブロック図である。
【００２９】
同図に示すように、制御部２１は、種別判定部１００、決済処理部１０１、報知制御部１０２、許可情報取得部１０３、記憶部１０４、対象装置特定部１０６、稼働履歴情報受付部１０７、ロケーションデータ取得部１１０の各機能部を有している。
【００３０】
種別判定部１００は、入出力部２３が検出したＩＣカード７０の種別を判定する。種別の判定は、ＩＣカード７０が記憶している認識コードにより行う。
【００３１】
認識コードは、稼働履歴情報取得の対象となる整備点検対象装置を特定しその装置から稼働履歴情報取得の許可を示す許可情報等を記憶した専用のＩＣカードを示すものと、それ以外のＩＣカードであって決済等で利用が可能なＩＣカードあることを示すもの等に分かれる。
【００３２】
決済処理部１０１は、種別判定部１００により入出力部２３が検出したＩＣカード７０が許可情報等を記憶した専用のＩＣカードでないと判定された場合に、決済処理を行う。この決済処理部１０１の動作は、既存のものと同様である。
【００３３】
報知制御部１０２は、報知部２４を制御して光や音を利用した報知を行わせる。
【００３４】
許可情報取得部１０３は、種別判定部１００により入出力部２３が検出したＩＣカード７０が許可情報等を記憶した専用のＩＣカードであると判定された場合に、その専用のＩＣカードから許可情報等の情報を取得する。
【００３５】
記憶部１０４は、許可情報取得部１０３が取得した許可情報や稼働履歴情報受付部１０７が取得した稼動履歴情報等の様々な情報を記憶する。
【００３６】
対象装置特定部１０６は、許可情報取得部１０３が取得して記憶部１０４に記憶した許可情報に基づいて、対象となる整備点検対象装置を特定する。対象となる整備点検対象装置は、例えば、紙幣処理３０や硬貨処理装置４０である。
【００３７】
稼働履歴情報受付部１０７は、対象装置特定部１０６が特定した装置から稼働履歴情報を受け付け、受け付けた稼働履歴情報は記憶部（稼動履歴情報蓄積手段）１０４で記憶される。
【００３８】
ロケーションデータ取得部１１０は、自動販売機１０の設置された位置情報を取得するものである。
【００３９】
さて、この実施例の自動販売機管理システムにおいては、電子決済装置２０により整備点検対象装置の稼動履歴情報が書き込まれた専用のＩＣカード７０を分析装置に挿入することにより、ＩＣカード７０から整備点検対象装置の稼動履歴情報を読み込んで、この稼動履歴情報の分析を行う。
【００４０】
図３は、分析装置の構成例を示すブロック図であり、図４は、分析装置の外観を示す正面斜視図（Ａ）および背面斜視図（Ｂ）である。
【００４１】
図３に示すように、分析装置８０は、制御部８１、情報選択部８２、Ｒ／Ｗ（読取、書込み）部８３、記憶部８４、表示部８５、操作部８６を有している。
【００４２】
また、この分析装置８０は、図４に示すように、ＩＣカード差込部８７に、専用のＩＣカード７０を差し込み、ＩＣカード７０から整備点検対象装置の稼動履歴情報を読み込んで、この稼動履歴情報の分析を行う。なお、図４に示す電源スイッチ８６１、モードスイッチ８６２は、図３の操作部８６に含まれる。なお、モードスイッチ８６２の機能に関しては後に示す具体例で説明する。
【００４３】
図３に示す制御部８１は、分析装置８０の各部を制御するほか、稼動履歴情報の分析を行うもので、プロセッサ等の演算部、メモリ等の記憶部により構成され、演算部が記憶部に記憶されているプログラムを実行することで動作する。
【００４４】
Ｒ／Ｗ部８３は、ＩＣカード差込部８７に差し込まれた専用のＩＣカード７０から稼動履歴情報の読み込みおよびこのＩＣカード６０に対する必要な情報の書込み等を行う。
【００４５】
情報選択部８２は、専用のＩＣカード７０から読み込まれた情報の中から整備点検対象装置の稼動履歴情報を選択等の処理等を行う。
【００４６】
記憶部８４は、情報選択部８２で選択された整備点検対象装置の稼動履歴情報を記憶するとともに、この稼動履歴情報の分析結果を記憶するものであり、表示部８５は、稼動履歴情報の分析結果等を表示するものである。
【００４７】
次に、本発明に係わる自動販売機管理システムの概略動作について図５に示すフローチャートを参照して説明する。
【００４８】
まず、分析装置８０に対する必要な初期設定を行う（ステップ５０１）。次に、専用のＩＣカード７０に自動販売機１０から整備点検対象装置の稼動履歴情報の書込みを許可する情報、すなわち、対象装置の稼動履歴情報の取得許可情報を入力（書込み）を行う（ステップ５０２）。
【００４９】
この取得許可情報が書き込まれた専用のＩＣカード７０および分析装置８０を持って自動販売機１０の設置場所に行き（ステップ５０３）、この専用のＩＣカード７０を自動販売機１０の電子決済装置２０にかざすことにより、対象装置の稼動履歴情報を専用のＩＣカード７０に書き込み、これにより自動販売機１０から対象装置の稼動履歴情報を取得する（ステップ５０４）。
【００５０】
次に、この対象装置の稼動履歴情報が書き込まれた専用のＩＣカード７０を、ＩＣカード差込部８７に差し込むことにより、この専用のＩＣカード７０から対象装置の稼動履歴情報を入力して（読み取って）、対象装置の稼動履歴情報を分析し、その分析結果を表示部８５に表示し、この表示から対象装置の整備点検情報を確認する（ステップ５０５）。
【００５１】
そして、この分析装置８０に表意された対象装置の整備点検情報を自動販売機１０の管理者にみせて、対象装置の整備点検の許可得る（ステップ５０６）。その後、対象装置の整備点検、必要な部品交換等を行い（ステップ５０７）、この処理を終了する。
【００５２】
図６乃至８は、電子決済装置２０の動作の流れを示すフローチャートである。
【００５３】
電子決済装置２０は、待機状態において（ステップ６０１でＮＯ）、入出力部２３がＩＣカード７０を検出すると（ステップ６０１でＹＥＳ）、制御部２１が、入出力部２３と情報処理部２２を介してＩＣカード７０の認識コードを読み取り（ステップ６０２）、種別判定部１００がＩＣカード７０の種別を判定する（ステップ６０３）。
【００５４】
判定の結果、ＩＣカード７０が専用のＩＣカードではなく（ステップ６０４でＮＯ）、決済等で利用が可能なＩＣカードでもなかった場合には（ステップ６０５でＮＯ）、報知制御部１０２が報知部２４を制御してエラーを報知し（ステップ６０６）、一定時間後にエラー状態を解除して（ステップ６０７）、待機状態に戻る。
【００５５】
一方、種別判定部１００による判定の結果、ＩＣカード７０が専用のＩＣカードではなく（ステップ６０４でＮＯ）、決済等で利用が可能なＩＣカードであった場合には（ステップ６０５でＹＥＳ）、決済処理部１０１が決済処理等を行い（ステップ６０８）、その後に待機状態に戻る。なお、決済処理部１０１による処理は、従来と同様であるため、その詳細説明は省略するが、電子決済装置２０が待機状態にある場合に決済等で利用が可能なＩＣカードが検出されたときは、残額表示等の処理を行う。
【００５６】
また、種別判定部１００による判定の結果、ＩＣカード７０が専用のＩＣカードであった場合には（ステップ６０４でＹＥＳ）、許可情報取得部１０３がＩＣカード７０から許可情報、認識コード等の情報を読み込み（ステップ６０９）、読み込みに成功したら（ステップ６１０でＹＥＳ）、取得した情報を記憶部１０４に記憶する（ステップ６１４）。
【００５７】
読み込みに失敗した場合には（ステップ６１０でＮＯ）、許可情報取得部１０３は、許可情報等の再読み込みを行い（ステップ６１２）、読み込みに成功したら（ステップ６１３でＹＥＳ）、取得した許可情報等を記憶部１０４に記憶する（ステップ６１４）。
【００５８】
許可情報等の再読み込みに失敗した場合には（ステップ６１３でＮＯ）、報知制御部１０２が報知部２４を制御してエラーを報知し（ステップ６０６）、一定時間後にエラー状態を解除して（ステップ６０７）、待機状態に戻る。なお、許可情報取得部１０３が読み込むデータは、認識コードと、許可情報等である。
【００５９】
許可情報取得部１０３が取得した許可情報等を記憶部１０４に記憶すると、許可情報に基づき整備点検の対象装置を決定し（ステップ６１５）、稼動履歴情報受付部１０７は、対象装置から稼動履歴情報を読み取り（ステップ６１６）、読み込みに成功したら（ステップ６１７でＹＥＳ）、取得した対象装置の稼動履歴情報を記憶部１０４に記憶し（ステップ６１８）、稼動履歴情報の受付を終了する（ステップ６１２）。
【００６０】
稼動履歴情報受付部１０７が、対象装置からの稼動履歴情報の読み取りに失敗した場合には（ステップ６１７でＮＯ）、稼動履歴情報の再読み込みを行い（ステップ６１９）、読み込みに成功したら（ステップ６２０でＹＥＳ）、取得した稼動履歴情報を記憶部１０４に記憶する（ステップ６１８）。
【００６１】
稼動履歴情報の再読み込みに失敗した場合には（ステップ６２０でＮＯ）、報知制御部１０２が報知部２４を制御してエラーを報知し（ステップ６０６）、一定時間後にエラー状態を解除して（ステップ６０７）、待機状態に戻る。
【００６２】
稼動履歴情報の受付を終了すると、次に、自動販売機１０のロケーションデータの読み込みを行う（ステップ６２２）。ここで、ロケーションデータの読み込みに成功したら（ステップ６２３でＹＥＳ）、取得したロケーションデータを記憶部１０４に記憶する（ステップ６２４）。
【００６３】
次に、入出力部２３により、記憶部１０４に記憶した対象装置の稼動履歴情報とロケーションデータをＩＣカード７０に書込み（ステップ６２７）、報知制御部１０２が報知部２４を制御して、書込み成功を報知して（ステップ６２８）、この電子決済装置２０の処理を終了する。
【００６４】
なお、ステップ６２３で、ロケーションデータの読み込みに失敗した場合には（ステップ６２６でＮＯ）、報知制御部１０２が報知部２４を制御してエラーを報知し（ステップ６０６）、一定時間後にエラー状態を解除して（ステップ６０７）、待機状態に戻る。
【００６５】
図９乃至１０は、分析装置８０の動作の流れを示すフローチャートである。
【００６６】
分析装置８０は、待機状態において（ステップ９０１でＮＯ）、Ｒ／Ｗ部８３がＩＣカード７０を検出すると（ステップ９０１でＹＥＳ）、制御部８１が、Ｒ／Ｗ部８３と情報選択部８２を介してＩＣカード７０の認識コードを読み取り（ステップ９０２）、ＩＣカード７０の種別を判定する（ステップ９０３）。ここで、ＩＣカード７０が専用のＩＣカードではなかった場合には（ステップ９０４でＮＯ）、制御部８１は、表示部８５を用いてエラーを報知し（ステップ９０５）、一定時間後にエラー状態を解除して（ステップ９０６）、待機状態に戻る。
【００６７】
一方、ＩＣカード７０が専用のＩＣカードであった場合には（ステップ９０４でＹＥＳ）、制御部８１が、Ｒ／Ｗ部８３と情報選択部８２を介してＩＣカード７０からロケーションデータと稼動履歴情報を読み込み（ステップ９０７）、ロケーションデータと稼動履歴情報を記憶部８４に記憶する。
【００６８】
読み込みに失敗した場合には（ステップ９０８でＮＯ）、制御部８１は、ロケーションデータと稼動履歴情報の再読み込みを行い（ステップ９１０）、読み込みに成功したら（ステップ９１２でＹＥＳ）、取得したロケーションデータと稼動履歴情報を記憶部８４に記憶する（ステップ９０９）。
【００６９】
再読み込みに失敗した場合には（ステップ９１２でＮＯ）、制御部８１は、表示部８５を用いてエラーを報知し（ステップ９１６）、一定時間後にエラー状態を解除して（ステップ９１７）、待機状態に戻る。
【００７０】
ステップ９１３では、取得した稼動履歴情報と所定の基準情報との比較を制御部８１で行い（ステップ９１３）、制御部８１は、その比較結果を分析して（ステップ９１４）、分析結果を表示部８５に表示し（ステップ９１５）、待機状態に戻る。
【００７１】
次に、整備点検の対象装置が、自動販売機１０の硬貨処理装置４０である場合について、分析装置８０による分析例を具体的に説明する。
【００７２】
硬貨処理装置４０の稼働履歴情報には、累計販売回数、硬貨の受入率、累計稼働時間、電源投入回数、硬貨の累計投入枚数、硬貨の累計払出枚数、異常履歴、異常送信回数、アクセプタ異常、各使用硬貨別のエンプティスイッチ異常、硬貨払出異常、返却ＳＷ異常等があり、これらの情報は、硬貨処理装置４０からいつでも取り出しが可能である。また、硬貨処理装置４０は、自動販売機１０に電源が投入された時からｔ時間毎に、その時に硬貨処理装置４０に生じた事象を数値化して、不揮発性のメモリ（ＥＥＰＲＯＭなど）に記録されている。なお、不揮発性のメモリに記録された情報は、例えば、次のｔ時間後の情報に書き換えられる。
【００７３】
さて、整備点検時期を把握するために必要な稼働履歴情報、すなわち故障予防のために必要な情報は、装置詳細に及ぶ異常現象を示す情報ではなく、整備点検箇所が大まかに把握できる程度の現象を示す情報であれば良い。そこで、この具体例においては、硬貨処理装置４０を構成している、硬貨受入部、硬貨選別センサ部、硬貨振分部、制御基板を含む硬貨選別部、硬貨収納部、硬貨払出機構部、筐体（いずれも図示せず）の中の、故障が多い部位、すなわち、硬貨選別部、硬貨収納部、硬貨払出機構部の故障に係わり、その故障が発生する前に起きる現象や変化によって整備点検を促すことが出来る情報を稼働履歴情報から拾い出し、拾い出した稼働履歴情報から整備点検時期を把握する。
【００７４】
硬貨選別部に係わる稼働履歴情報には、以下の情報がある。
【００７５】
１）受入率
２）累計投入枚数
３）アクセプタ異常
４）返却スイッチ異常
また、硬貨収納部に係わる稼働履歴情報には、以下の情報がある。
【００７６】
５）エンプティスイッチ異常
６）セイフティスイッチ異常
また、硬貨払出機構部に係わる稼働履歴情報には、以下の情報がある。
【００７７】
７）累計払出枚数
８）払出異常
そこで、上記の各部位毎に拾い出した１）〜８）の計８個の稼働履歴情報から整備点検時期を把握する。
【００７８】
ここで、１）の受入率は、硬貨処理装置４０が処理の対象とする硬貨種類毎に取得されるもので、例えば、製品仕様上、各硬貨で「９０％以上」であるとされている。
【００７９】
硬貨処理装置４０には、偽貨の投入もあるし、汚れた硬貨の投入や変形した硬貨の投入もあるので、受入率の低下が即ち「故障である」とは言えない。しかし、硬貨処理装置の整備点検を促す情報の一つである。
【００８０】
そこで、整備点検の面から硬貨処理装置４０の受入率に閾値を設定し、その閾値を下回る受入率になった場合には、装置扱い者の注意を促す。
【００８１】
例えば、上記閾値を「８０％」に固定して、その閾値を下回る受入率になった場合には、装置扱い者の注意を促す。ここで、閾値は固定ではなく、市場環境によって設定可能なようにすることも、故障予防の面からは考えられる。
【００８２】
分析装置８０においては、受入率情報の基準値として「８０％」を記憶しておき、ＩＣカード７０から読み込んだ受入率情報が「８０％未満」であったら、該当する硬貨種別が何であれ、整備点検が必要であると判断し、例えば「近い将来において整備点検が必要です」若しくは単に「整備点検時期です」などの文字表示を分析装置８０の表示部８５に表示する。
【００８３】
また、２）の累計投入枚数は、硬貨種別に関係なく硬貨処理装置に投入された硬貨投入枚数を示し、硬貨投入枚数が１０枚を１カウントとして、例えば、６００００カウントまで行う情報である。
【００８４】
硬貨選別部には、投入された硬貨の金種をセンサによって識別した後、金種毎に通路を振り分けるための振分レバーとその振分レバーを駆動するソレノイドが数組備えられており、これらの内には、投入硬貨１枚につき必ず１回駆動する振分レバーとソレノイドがある。この常時動作する箇所以外においても当然、整備点検が必要であるが、特に常時動作する箇所の動作回数が、整備点検時期を決定する要素になる。
【００８５】
そこで、分析装置８０においては、累計投入枚数情報の基準値として、例えば「３０万回」を記憶しておき、ＩＣカード７０から読み込んだ累計投入枚数情報がこの基準値「３０万回」以上であったら整備点検が必要であると判断し、受入率の場合と同様に、例えば「近い将来において整備点検が必要です」若しくは単に「整備点検時期です」などの文字表示を分析装置８０の表示部８５に表示する。
【００８６】
３）のアクセプタ異常は、硬貨選別部に備えられた各センサの異常動作を示す情報である。硬貨選別部には、投入された硬貨の金種を識別するセンサと、このセンサが位置する識別センサ部を通過した硬貨を検出するパスセンサの２種類のセンサが備えられている。硬貨選別部に投入された硬貨が、各センサが位置する箇所で詰まった場合には、各センサの動作異常として検出し、「アクセプタ異常」情報を送出するので、この情報から整備点検時期であることを直接的に判断できる。
【００８７】
硬貨の投入が無い時に、各センサが待機状態と異なる信号を送出する場合には、該当するセンサに何らかの異常があると判断でき、この時にも整備点検時期であることを直接的に判断できる。
【００８８】
そこで、分析装置８０においては、ＩＣカード７０から「アクセプタ異常」情報を読み込んだ場合には、例えば「硬貨詰まり若しくはセンサに異常がありますので、直ぐに整備点検を受けてください」などの文字表示を分析装置８０の表示部８５に表示する。
【００８９】
４）返却スイッチ異常は、硬貨投入が無い硬貨受入可能状態での硬貨識別センサに異常があることを示す。
【００９０】
硬貨識別センサは、送信側と受信側とに分かれ、これらが硬貨通路を挟んで対向するように位置している。この硬貨通路は、固定面と可動面と可動面に設けられた硬貨レールとから構成され、返却レバー動作時には、硬貨通路が開くように可動面側（ゲート）が移動する。硬貨投入が無い硬貨受入可能状態においては、硬貨通路が形成されるように可動面側（ゲート）をバネで付勢して移動が無いようにしているので、硬貨識別センサの送信側、受信側は正規の位置で対向しているが、異物の侵入や可動側（ゲート）を付勢しているバネの破損などがあった場合には、硬貨通路が開き、硬貨識別センサの送信側、受信側は異常位置での対向になるので、受信側から出力される信号が異常値となり、硬貨識別センサに異常があることを示す。
【００９１】
そこで、分析装置８０においては、ＩＣカード７０から「返却ＳＷ異常」情報を読み込んだ場合には、例えば「硬貨識別センサー部に異常がありますので、直ぐに整備点検を受けてください」などの文字表示を分析装置８０の表示部８５に表示する。
【００９２】
５）のエンプティスイッチ異常は、硬貨収容部の金種毎に設けられた各硬貨収容筒とその収容筒内に収容された硬貨に係る、硬貨収容筒内の硬貨検出センサ（エンプティスイッチ）に異常があることを示す。
【００９３】
投入された硬貨は、硬貨選別部を通過すると硬貨収容部に蓄積される。そして、蓄積された硬貨が硬貨収容部の収容枚数限度に達すると、硬貨収容部の各収容筒の硬貨入口付近の筐体側に設けられた各オーバーフローレバーを硬貨が押し、押されたレバーを各オーバーフローセンサーが検知することで、各収容筒の硬貨が収容枚数限度に達したことが電気的に認識できる。ある硬貨収容筒に硬貨が無い状態では、この収容筒に対応する硬貨検出センサ（エンプティスイッチ）による硬貨の検出は無いが、この時に、この収容筒に対応するオーバーフローセンサーがオーバーフローレバーを検出するような出力を送出した場合には、当該オーバーフローセンサー部に異常があることを示す。
【００９４】
そこで、分析装置８０においては、ＩＣカード７０から「ＥＭＰＳＷ異常」情報を読み込んだ場合には、例えば「硬貨収容部のセンサーが異常を示していますので、直ぐに整備点検を受けてください。」などの文字表示を分析装置８０の表示部８５に表示する。
【００９５】
６）セイフティスイッチ異常は、硬貨収容部が正規の位置にあることを電気的に示すスイッチが異常であることを示す情報である。
【００９６】
硬貨収容部はカセット式であって、硬貨処理装置の所定位置に着脱可能である。硬貨収容部が所定位置に正しくセッティングされていないで、セイフティスイッチからの信号が無ければ、硬貨処理装置は硬貨を受け付けない。従って、硬貨収容部が正しくセッティングされた状態で「セイフティ異常」情報が送出された場合には、セイフティスイッチ自体に異常があると判断でき、また「セイフティ異常」情報が送出されている場合は、硬貨収容部がセッティングされていないと判断できる。
【００９７】
そこで、分析装置８０においては、ＩＣカード７０から「セイフティＳＷ異常」情報を読み込んだ場合には、例えば「カセットチューブ（硬貨収容部）のセッティングを見直すか、若しくは直ぐに整備点検を受けてください」などの文字表示を分析装置８０の表示部８５に表示する。
【００９８】
７）の累計払出枚数は、金種毎に収容されている硬貨が硬貨払出部によって払い出された枚数を示し、各硬貨収容筒から払い出された硬貨枚数が１０枚を１カウントとして、例えば６００００カウントまで行う情報である。
【００９９】
硬貨払出部は、硬貨収容部の並列した各硬貨収容筒に蓄積された最下端の全ての硬貨をペイアウトスライドで同じ方向に移動し、払い出す対象の硬貨のみを下に落すことで払い出す。払出動作における寿命は、硬貨収容筒に常時蓄積される硬貨の枚数によるので、市場の状態によって判断基準を変えても良い。そして払出の保証については自動販売機の稼働と関係するので、例えば、販売回数で１０万回を保証するとした場合には、商品価格による釣銭の要不要を考慮した上で、硬貨払出枚数に換算して判断基準を設定することが出来る。
【０１００】
仮に、払出保証を１０万枚、寿命を３０万枚とした場合、分析装置８０においては、累計払出枚数情報の基準値として「１０万数」と「３０万枚」を記憶しておき、ＩＣカード７０から読み込んだ累計払出枚数情報が１０万枚以上３０万枚未満であった場合には点検を主体とした作業が必要であると判断し、例えば「近い将来において整備点検が必要です」などの文字表示を、３０万枚以上であった場合には部品交換による整備を主体とした作業が必要であると判断し、単に「整備点検時期です」などの文字表示を、分析装置８０の表示部８５に表示する。
【０１０１】
８）の払出異常は、硬貨払出部の駆動手段であるモータが異常停止したことを示す情報である。
【０１０２】
硬貨払出部が払い出した硬貨が、何らかの原因で装置外部に出されずに硬貨出口で詰まると、払出駆動源であるモータがロックし停止にまで至る。このとき、モータの回転をキャリアカムとキャリアＳＷで監視することで、ロック状態が検出できる。
【０１０３】
そこで、分析装置８０においては、ＩＣカード７０から「払出異常」情報を読み込んだ場合には、例えば「直ぐに整備点検を受けてください」などの文字表示を分析装置８０の表示部８５に表示する。
【０１０４】
ところで、本発明は、故障予防を図ることにあるので、本発明に係わる分析装置８０の以下に示す具体例においては、上記稼動履歴情報の内、即整備点検が必要だと結論付ける情報を除き、以下の情報を利用する。
【０１０５】
１）硬貨選別部に係わるもの
受入率
累計投入枚数
２）硬貨払出機構部に係わるもの
累計払出枚数
これら３つの稼働履歴情報から得られた結果の内、いずれか１つでも「整備点検を必要とする」という結果であった場合には、近日中に整備点検を行う必要があると、自動販売機管理者を説得し、具体的整備点検時期の決定をする交渉を行う。
【０１０６】
なお、利用する稼働履歴情報の数を少なくするのは、市場において迅速に行うことを第１としたためである。すなわち、下記の具体例において利用する受入率、累計投入枚数、累計払出枚数の各情報は、本件の一実施例であり、他の情報を利用して実施可能である。  硬貨処理装置４０は多種の技術を総合したものであって、その詳細な整備点検には時間を要する。自動販売機１０の設置現場では、そのような時間が取れないため、故障前の整備点検が必要であることを把握して、自販機所有者の了承を得て、専用冶工具や技術者の揃った環境に装置を早く持ち込んで早く正常化させることが、自動販売機の稼働停止期間を少なくして、より長く使用してもらうことにつながる。
【０１０７】
また、整備点検時期を把握するために必要な稼働履歴情報の内の３つの情報に優先度を設定する。例えば、受入率、累計投入枚数、累計払出枚数の３つの情報に整備点検時期の把握という視点から優先度をつける。整備点検時期の把握の目的は故障予防にあるので、硬貨処理装置の稼働停止に近い情報を優先度が高い情報とし、以下のような順位となる。
【０１０８】
１．累計払出枚数
２．累計投入枚数
３．受入率
図１１は、上述した分析装置８０を用いた分析処理の具体例の動作の流れを示すフローチャートである。
【０１０９】
まず、専用のＩＣカード７０を自動販売機１０の電子決済装置２０にかざし（ステップ１１０１）、自動販売機１０から累計払出枚数、累計投入枚数、受入率をＩＣカード７０に書き込む。
【０１１０】
次に、分析装置８０の電源スイッチ８６１を押して、分析装置８０の電源をＯＮする（ステップ１１０２）。そして、累計払出枚数、累計投入枚数、受入率が書き込まれた専用のＩＣカード７０をＩＣカード差込部８７に差し込み、ＩＣカード７０から累計払出枚数、累計投入枚数、受入率を読み取って、記憶部８４に記憶する。
【０１１１】
そして、記憶部８４に記憶された累計払出枚数、累計投入枚数、受入率を分析してその分析結果を表示部８５に表示する。
【０１１２】
この状態で、分析装置８０の表示部８５に表示される情報は、図１２のようになる。すなわち、図１２に示すように、ここでは、情報名とその数値が上記の優先順位に従って、「１．累計払出枚数」が「８９０１２枚」、「２．累計投入枚数」が「１８９００５枚」、「３．受入率」が、「￥１０」に対して「９５％」、「￥５０」に対して「９８％」、「￥１００」に対して「９９％」、「￥５００」に対して「９２％」と表示される。
【０１１３】
次に、モードスイッチ（ＳＷ）８６２を１回押す（１回目）（ステップ１１０３）と、「累計払出枚数情報」の分析結果が分析装置８０の表示部８５に表示され、「累計払出枚数情報」の分析結果を確認することができる（ステップ１１０４）。
【０１１４】
「累計払出枚数情報」の分析は、ＩＣカード７０から読み取った「累計払出枚数情報」の示す累計払出枚数を第１の基準値「１０万枚」、第２の基準値「３０万枚」と比較し、ＩＣカード７０から読み取った「累計払出枚数情報」の示す累計払出枚数が、第１の基準値「１０万枚」未満の場合は、整備点検は不要と判断して、その累計払出枚数の数値表示とともに、「現在の累計払出枚数は、障害の起き難い数値です」と表示する。
【０１１５】
また、ＩＣカード７０から読み取った「累計払出枚数情報」の示す累計払出枚数が、第１の基準値「１０万枚」以上第２の基準値「３０万枚」未満の場合は、近日中に整備点検が必要であると判断して、その累計払出枚数の数値表示とともに、「現在の累計払出枚数は、保証値以下です、近日中に整備点検を行ってください」と表示する。
【０１１６】
また、ＩＣカード７０から読み取った「累計払出枚数情報」の示す累計払出枚数が、第２の基準値「３０万枚」以上の場合は、直ちに整備点検が必要であると判断して、その累計払出枚数の数値表示とともに、「現在の累計払出枚数は、点検が必要な数値です、直ぐに整備点検を行ってください」と表示する。
【０１１７】
さて、上述の場合、ＩＣカード７０から読み取った「累計払出枚数情報」が示す累計払出枚数は「８９０１２枚」であり、第１の基準値基準値「１０万枚」以下であるので、この場合の分析装置８０の表示部８５の表示は、図１３のようになる。
【０１１８】
なお、ＩＣカード７０から読み取った「累計払出枚数情報」の示す累計払出枚数が、第１の基準値「１０万枚」以上第２の基準値「３０万枚」未満の、例えば、「２０３０４５枚」である場合に、分析装置８０の表示部８５に表示される表示例を図１４に示し、ＩＣカード７０から読み取った「累計払出枚数情報」の示す累計払出枚数が、第２の基準値「３０万枚」以上の、例えば、「３１５０４５枚」である場合に、分析装置８０の表示部８５に表示される表示例を図１５に示す。
【０１１９】
次に、モードスイッチ（ＳＷ）８６２を１回押す（２回目）（ステップ１１０５）と、「累計投入枚数情報」の分析結果が分析装置８０の表示部８５に表示され、「累計投入枚数情報」の分析結果を確認することができる（ステップ１１０６）。
【０１２０】
「累計投入枚数情報」の分析は、ＩＣカード７０から読み取った「累計投入枚数情報」が示す累計投入枚数を基準値「３０万枚」と比較し、ＩＣカード７０から読み取った「累計投入枚数情報」が示す累計投入枚数が、基準値「３０万枚」未満の場合は、整備点検は不要と判断して、その累計投入枚数の数値表示とともに、「現在の累計投入枚数は、障害の起き難い数値です」と表示する。
【０１２１】
また、ＩＣカード７０から読み取った「累計投入枚数情報」が示す累計投入枚数が、基準値「３０万枚」以上の場合は、近日中に整備点検が必要であると判断して、その累計投入枚数の数値表示とともに、「現在の累計払出枚数は、点検が必要な数値です、直ぐに整備点検を行ってください」と表示する。
【０１２２】
さて、上述の場合、ＩＣカード７０から読み取った「累計投入枚数情報」が示す累計投入枚数は「１８９００５枚」であり、基準値基準値「３０万枚」以下であるので、この場合の分析装置８０の表示部８５の表示は、図１６のようになる。
【０１２３】
なお、ＩＣカード７０から読み取った「累計投入枚数情報」が示す累計投入枚数が、基準値「３０万枚」以上の、例えば、「３１５０４５枚」である場合に、分析装置８０の表示部８５に表示される表示例を図１７に示す。
【０１２４】
次に、モードスイッチ（ＳＷ）８６２を１回押す（３回目）（ステップ１１０７）と、「受入率情報」の分析結果が分析装置８０の表示部８５に表示され、「受入率情報」の分析結果を確認することができる（ステップ１１０８）。
【０１２５】
「受入率情報」の分析は、ＩＣカード７０から読み取った「受入率情報」が示す各金種種別の受入率を基準値「８０％」と比較し、ＩＣカード７０から読み取った「受入率情報」が示す各金種種別の受入率が、全て基準値「８０％」以上の場合は、整備点検は不要と判断して、各金種種別の受入率を数値表示するが、ＩＣカード７０から読み取った「受入率情報」が示す各金種種別の受入率のいずれか１つが基準値「８０％」未満の場合は、各金種種別の受入率を数値表示するとともに、「受入率の低下が認められますので、整備点検を行ってください」と表示する。
【０１２６】
さて、上述の場合、ＩＣカード７０から読み取った「受入率情報」が示す各金種種別の受入率は、「￥１０」に対して「９５％」、「￥５０」に対して「９８％」、「￥１００」に対して「９９％」、「￥５００」に対して「９２％」と全て基準値「８０％」以上であるので、この場合の分析装置８０の表示部８５の表示は、図１８のようになる。
【０１２７】
なお、ＩＣカード７０から読み取った「受入率情報」が示す各金種種別の受入率のいずれかが「８０％」未満の場合である、例えば、「￥１０」に対して「８９％」、「￥５０」に対して「７７％」、「￥１００」に対して「８５％」、「￥５００」に対して「８３％」である場合に、分析装置８０の表示部８５に表示される表示例を図１９に示す。
【０１２８】
次に、各分析結果、すなわち、ステップ１１０４で確認される「累計払出枚数情報」の分析結果、ステップ１１０６で確認される「累計投入枚数情報」の分析結果、ステップ１１０８で確認される「受入率情報」の分析結果から点検が必要であったかを調べる（ステップ１１０９）。ここで、各分析結果から点検が必要であると判断されると（ステップ１１０９でＹＥＳ）、自動販売機１０の管理者へ状況を告げ、整備点検の了解を得る（ステップ１１１０）。その後、分析装置８０からＩＣカード７０を抜き取り（ステップ１１１１）、分析装置８０の電源をＯＦＦにして（ステップ１１１２）、分析装置８０を用いた分析処理を終了する。
【０１２９】
なお、ステップ１１０９で、各分析結果から点検が必要でないと判断された場合は（ステップ１１０９でＮＯ）、分析装置８０からＩＣカード７０を抜き取り（ステップ１１１１）、分析装置８０の電源をＯＦＦにして（ステップ１１１２）、分析装置８０を用いた分析処理を終了する。
【０１３０】
以上、本発明の一実施例を整備点検の対象装置が自動販売機１０の硬貨処理装置４０である場合について説明したが、整備点検の対象装置が紙幣処理装置３０である場合であっても同様に行うことができる。
【図面の簡単な説明】
【０１３１】
【図１】本発明を適用した電子決済装置を含む自動販売機の構成を示すブロック図である。
【図２】図１に示した電子決済装置の制御部の機能的な構成例を示すブロック図である。
【図３】分析装置の機能的な構成例を示すブロック図である。
【図４】図３に示した分析装置の外観を示す斜視図である。
【図５】本発明に係わる自動販売機管理システムの概略動作の流れを示すフローチャートである。
【図６】図１に示した電子決済装置の動作の流れを示すフローチャートである。
【図７】図１に示した電子決済装置の動作の流れを示すフローチャートである。
【図８】図１に示した電子決済装置の動作の流れを示すフローチャートである。
【図９】図３に示した分析装置の動作の流れを示すフローチャートである。
【図１０】図３に示した分析装置の動作の流れを示すフローチャートである。
【図１１】図３に示した分析装置を用いた分析処理の具体例の動作の流れを示すフローチャートである。
【図１２】図３に示した分析装置の表示部の表示例を示す図である。
【図１３】図３に示した分析装置の表示部の表示例を示す図である。
【図１４】図３に示した分析装置の表示部の表示例を示す図である。
【図１５】図３に示した分析装置の表示部の表示例を示す図である。
【図１６】図３に示した分析装置の表示部の表示例を示す図である。
【図１７】図３に示した分析装置の表示部の表示例を示す図である。
【図１８】図３に示した分析装置の表示部の表示例を示す図である。
【図１９】図３に示した分析装置の表示部の表示例を示す図である。
【符号の説明】
【０１３２】
１０    自動販売機
２０    電子決済装置
３０    紙幣処理装置
４０    硬貨処理装置
５０    主制御部
７０    ＩＣカード
８０    分析装置
８１    制御部
８２    情報選択部
８３    Ｒ／Ｗ（読取、書込み）部
８４    記憶部
８５    表示部
８６    操作部
８７    ＩＣカード差込部
１００    種別判定部
１０１    決済処理部
１０２    報知制御部
１０３    許可情報取得部
１０４    記憶部
１０６    対象装置特定部
１１０    ロケーションデータ取得部
８６１    電源スイッチ
８６２    モードスイッチ
【図１】
2010102389.tif 000003
【図２】
2010102389.tif 000004
【図３】
2010102389.tif 000005
【図４】
2010102389.tif 000006
【図５】
2010102389.tif 000007
【図６】
2010102389.tif 000008
【図７】
2010102389.tif 000009
【図８】
2010102389.tif 000010
【図９】
2010102389.tif 000011
【図１０】
2010102389.tif 000012
【図１１】
2010102389.tif 000013
【図１２】
2010102389.tif 000014
【図１３】
2010102389.tif 000015
【図１４】
2010102389.tif 000016
【図１５】
2010102389.tif 000017
【図１６】
2010102389.tif 000018
【図１７】
2010102389.tif 000019
【図１８】
2010102389.tif 000020
【図１９】
2010102389.tif 000021